(57)【要約】【課題】低照度の被写体を撮影した撮像情報を、所定以上の明るさに調整しつつ高画質で液晶モニタに表示させる撮像情報表示システムを提供する。【解決手段】  撮像情報表示システムは、撮像装置１０と表示装置２０とを備える。撮像装置１０は、撮影した被写体の画像情報を生成する画像情報生成部１３１と、生成された画像情報を所定以上の明るさで表示させるために必要なゲインアップ量を算出するゲインアップ量算出部１３２と、算出されたゲインアップ量の情報を、画像情報に付加して出力する出力処理部１３４とを有する。表示装置２０は、出力処理部１３４から出力された画像情報を表示する第１液晶モニタ２３と、当該撮像情報に付加されているゲインアップ量の情報に基づいて、当該画像情報が所定以上の明るさで第１液晶モニタ２３に表示されるように、第１液晶モニタ２３のバックライトの明るさを制御する第１バックライト制御部２４とを有する。【選択図】図１
2018142846.tif 000002
【特許請求の範囲】
【請求項１】
撮像装置と表示装置とを備え、
前記撮像装置は、
撮影した被写体の画像情報を生成する画像情報生成部と、
前記画像情報生成部で生成された画像情報を所定以上の明るさで表示させるために必要なゲインアップ量を算出するゲインアップ量算出部と、
前記ゲインアップ量算出部で算出されたゲインアップ量の情報を、前記画像情報に付加して出力する出力処理部とを有し、
前記表示装置は、
前記出力処理部から出力された画像情報を取得して表示する第１液晶モニタと、
前記出力処理部から出力された撮像情報に付加されているゲインアップ量の情報に基づいて、当該画像情報が、前記所定以上の明るさで前記第１液晶モニタに表示されるように、前記第１液晶モニタのバックライトの明るさを制御する第１バックライト制御部とを有する
ことを特徴とする撮像情報表示システム。
【請求項２】
表示対象の画像情報を取得して表示する液晶モニタと、
前記画像情報を所定以上の明るさで表示させるために必要なゲインアップ量の情報を取得し、取得したゲインアップ量の情報に基づいて、当該画像情報が、前記所定以上の明るさで前記液晶モニタに表示されるように、前記液晶モニタのバックライトの明るさを制御するバックライト制御部と
を備えることを特徴とする表示装置。
【請求項３】
前記画像情報を、前記ゲインアップ量の情報を用いて画質を向上させるために補正する補正処理部をさらに有し、
前記液晶モニタは、前記補正処理部で補正された画像情報を表示する
ことを特徴とする請求項２に記載の表示装置。
【請求項４】
撮影した被写体の画像情報を生成する画像情報生成部と、
前記画像情報生成部で生成された画像情報を所定以上の明るさで表示させるために必要なゲインアップ量を算出するゲインアップ量算出部と、
前記ゲインアップ量算出部で算出されたゲインアップ量の情報を前記画像情報に付加して出力する出力処理部と
を備えることを特徴とする撮像装置。
【請求項５】
請求項２または３に記載の表示装置を備え、
前記出力処理部は、前記ゲインアップ量の情報を付加した画像情報を、前記表示装置に出力する
ことを特徴とする請求項４に記載の撮像装置。
【請求項６】
前記画像情報生成部で生成された画像情報を、前記ゲインアップ量算出部で算出されたゲインアップ量でゲインアップした仮画像情報を生成し、当該仮画像情報の画質を向上させるように、撮影処理に関するオート制御を行なうオート制御部をさらに有する、
ことを特徴とする請求項４または５に記載の撮像装置。
【請求項７】
撮像装置が、
撮影した被写体の画像情報を生成し、
生成された画像情報を所定以上の明るさで表示させるために必要なゲインアップ量を算出し、
算出されたゲインアップ量の情報を前記画像情報に付加して出力し、
前記撮像装置に接続された表示装置が、
前記撮像装置から出力された画像情報を取得して液晶モニタに表示させ、
前記撮像装置から出力された画像情報に付加されているゲインアップ量に基づいて、当該画像情報が、前記所定以上の明るさで前記液晶モニタに表示されるように、前記液晶モニタのバックライトの明るさを制御する
ことを特徴とする撮像情報表示方法。
【発明の詳細な説明】
【技術分野】
【０００１】
本発明は、低照度の環境で撮像装置により撮影した撮像情報を、高画質で液晶モニタに表示させる撮像情報表示システム、表示装置、撮像装置、および撮像情報表示方法に関する。
【背景技術】
【０００２】
従来、撮像装置は、低照度の環境で撮影を行った際には、生成した撮像情報をゲインアップすることで、撮像情報に基づく画像が所定以上の明るさで表示されるように調整する。このように調整することにより、安定した明るさの撮像情報をユーザに提供することができる。
【先行技術文献】
【特許文献】
【０００３】
【特許文献１】特開平４−２４７７７７号公報
【発明の概要】
【発明が解決しようとする課題】
【０００４】
しかし、上述したように撮像情報をゲインアップすると、ノイズが増えて画質が劣化するという問題があった。
【０００５】
よって本発明は、低照度の環境で撮影した撮像情報を、所定以上の明るさに調整しつつ高画質で液晶モニタに表示させる撮像情報表示システム、表示装置、撮像装置、および撮像情報表示方法を提供することを目的とする。
【課題を解決するための手段】
【０００６】
上記目的を達成するための本発明の撮像情報表示システムは、撮像装置と表示装置とを備え、前記撮像装置は、撮影した被写体の画像情報を生成する画像情報生成部と、前記画像情報生成部で生成された画像情報を所定以上の明るさで表示させるために必要なゲインアップ量を算出するゲインアップ量算出部と、前記ゲインアップ量算出部で算出されたゲインアップ量の情報を、前記画像情報に付加して出力する出力処理部とを有し、前記表示装置は、前記出力処理部から出力された画像情報を取得して表示する第１液晶モニタと、前記出力処理部から出力された撮像情報に付加されているゲインアップ量の情報に基づいて、当該画像情報が前記所定以上の明るさで前記第１液晶モニタに表示されるように、前記第１液晶モニタのバックライトの明るさを制御する第１バックライト制御部とを有することを特徴とする。
【０００７】
また、本発明の表示装置は、表示対象の画像情報を取得して表示する液晶モニタと、前記画像情報を所定以上の明るさで表示させるために必要なゲインアップ量の情報を取得し、取得したゲインアップ量の情報に基づいて、当該画像情報が、前記所定以上の明るさで前記液晶モニタに表示されるように、前記液晶モニタのバックライトの明るさを制御するバックライト制御部とを備えることを特徴とする。
【０００８】
また、本発明の撮像装置は、表示対象の画像情報を取得して表示する液晶モニタと、前記画像情報を所定以上の明るさで表示させるために必要なゲインアップ量の情報を取得し、取得したゲインアップ量の情報に基づいて、当該画像情報が、前記所定以上の明るさで前記液晶モニタに表示されるように、前記液晶モニタのバックライトの明るさを制御するバックライト制御部とを備える表示装置に接続され、撮影した被写体の画像情報を生成する画像情報生成部と、前記画像情報生成部で生成された画像情報を所定以上の明るさで表示させるために必要なゲインアップ量を算出するゲインアップ量算出部と、前記ゲインアップ量算出部で算出されたゲインアップ量の情報を前記画像情報に付加して、前記表示装置に出力する出力処理部とを備えることを特徴とする。
【０００９】
また、本発明の撮像情報表示方法は、撮像装置が、撮影した被写体の画像情報を生成し、生成された画像情報を所定以上の明るさで表示させるために必要なゲインアップ量を算出し、算出されたゲインアップ量の情報を前記画像情報に付加して出力し、前記撮像装置に接続された表示装置が、前記撮像装置から出力された画像情報を取得して液晶モニタに表示させ、前記撮像装置から出力された画像情報に付加されているゲインアップ量に基づいて、当該画像情報が前記所定以上の明るさで前記液晶モニタに表示されるように、前記液晶モニタのバックライトの明るさを制御することを特徴とする。
【発明の効果】
【００１０】
本発明の撮像情報表示システム、表示装置、撮像装置、および撮像情報表示方法によれば、低照度の環境で撮影した撮像情報を、所定以上の明るさに調整しつつ高画質で液晶モニタに表示させることができる。
【図面の簡単な説明】
【００１１】
【図１】本発明の一実施形態による撮像情報表示システムの構成を示す全体図である。
【図２】本発明の一実施形態による撮像情報表示システムに用いる撮像装置で実行される撮像処理の流れを示すフローチャートである。
【図３】本発明の一実施形態による撮像情報表示システムに用いる表示装置で実行される表示処理の流れを示すフローチャートである。
【発明を実施するための形態】
【００１２】
〈一実施形態による撮像情報表示システムの構成〉
本発明の一実施形態による撮像情報表示システムの構成について、図１を参照して説明する。本実施形態による撮像情報表示システム１は、撮像装置１０と表示装置２０とが接続されて構成される。
【００１３】
撮像装置１０は、例えばビデオカメラ装置であり、レンズ部１１と、撮像素子１２と、画像処理部１３と、記憶部１４と、表示部１５とを有する。レンズ部１１は、複数枚のレンズで構成されていてもよい。撮像素子１２は、レンズ部１１から入射された被写体の光学像を電気信号に変換する。
【００１４】
画像処理部１３は、画像情報生成部１３１と、ゲインアップ量算出部１３２と、オート制御部１３３と、出力処理部１３４とを有する。
【００１５】
画像情報生成部１３１は、撮像素子１２で変換された電気信号から、当該被写体の撮像情報である画像情報を生成する。ゲインアップ量算出部１３２は、画像情報生成部１３１で生成された画像情報を所定以上の明るさで表示させるために必要なゲインアップ量を算出する。
【００１６】
オート制御部１３３は、画像情報生成部１３１で生成された画像情報を、ゲインアップ量算出部１３２で算出されたゲインアップ量でゲインアップした仮画像情報を生成し、当該仮画像情報の画質を向上させるように、撮像装置１０内で実行されるオートフォーカスおよびホワイトバランス調整等の撮影処理に関するオート制御を行う。
【００１７】
出力処理部１３４は、画像情報生成部１３１で生成された画像情報に、ゲインアップ量算出部１３２で算出されたゲインアップ量をメタデータとして付加して、出力する。記憶部１４は、出力処理部１３４から出力された画像情報を記憶する。表示部１５については、後述する。
【００１８】
表示装置２０は、第１情報分離部（第１画像情報取得部）２１と、第１補正処理部２２と、第１液晶モニタ２３と、第１バックライト制御部２４とを有する。第１情報分離部２１は、撮像装置１０の出力処理部１３４から出力された画像情報を取得し、付加されているメタデータを分離する。
【００１９】
第１補正処理部２２は、取得した画像情報の画質を向上させるための処理を行うものであり、第１ガンマ補正部２２ａと、第１輪郭補正部２２ｂと、第１色補正部２２ｃとを有する。第１ガンマ補正部２２ａは、第１情報分離部２１で分離されたメタデータを用いて、取得した画像情報のガンマ補正を行う。第１輪郭補正部２２ｂは、当該メタデータを用いて、第１ガンマ補正部２２ａでガンマ補正された画像情報の輪郭補正を行う。第１色補正部２２ｃは、当該メタデータを用いて、第１輪郭補正部２２ｂで輪郭補正された画像情報の色相を補正する。
【００２０】
第１液晶モニタ２３は、バックライトを光源として透過させることで、第１補正処理部２２で補正された画像情報を表示する。第１バックライト制御部２４は、表示対象の画像情報のゲインアップ量と、第１液晶モニタ２３に当該画像情報を所定以上の明るさで表示させるために必要な、第１液晶モニタ２３のバックライトの明るさの制御量との対応情報を予め保持している。そして、第１バックライト制御部２４は、第１情報分離部２１で分離されたメタデータに含まれるゲインアップ量の情報、および予め保持した対応情報に基づいて、当該画像情報が、所定以上の明るさで前記第１液晶モニタ２３に表示されるように、第１液晶モニタ２３のバックライトの明るさを制御する。
【００２１】
撮像装置１０の表示部１５は、撮影したスルー画像を表示させるものであり、第２情報分離部（第２画像情報取得部）１５１と、第２補正処理部１５２と、第２液晶モニタ１５３と、第２バックライト制御部１５４とを有する。第２情報分離部１５１は、撮像装置１０の出力処理部１３４から出力された画像情報を取得し、付加されているメタデータを分離する。
【００２２】
第２補正処理部１５２は、取得した画像情報の画質を向上させるための処理を行うものであり、第２ガンマ補正部１５２ａと、第２輪郭補正部１５２ｂと、第２色補正部１５２ｃとを有する。第２ガンマ補正部１５２ａは、第２情報分離部１５１で分離されたメタデータを用いて、取得した画像情報のガンマ補正を行う。第２輪郭補正部１５２ｂは、当該メタデータを用いて、第２ガンマ補正部１５２ａでガンマ補正された画像情報の輪郭補正を行う。第２色補正部１５２ｃは、当該メタデータを用いて、第２輪郭補正部１５２ｂで輪郭補正された画像情報の色相を補正する。
【００２３】
第２液晶モニタ１５３は、バックライトを光源として透過させることで、第２補正処理部１５２で補正された画像情報を表示する。第２バックライト制御部１５４は、表示対象の画像情報のゲインアップ量と、第２液晶モニタ１５３に当該画像情報を所定以上の明るさで表示させるために必要な、第２液晶モニタ１５３のバックライトの明るさの制御量との対応情報を予め保持している。そして、第２バックライト制御部１５４は、第２情報分離部１５１で分離されたメタデータに含まれるゲインアップ量の情報、および予め保持した対応情報に基づいて、当該画像情報が、所定以上の明るさで第２液晶モニタ１５３に表示されるように、第２液晶モニタ１５３のバックライトの明るさを制御する。
【００２４】
〈一実施形態による撮像情報表示システムの動作〉
次に、本実施形態による撮像情報表示システム１の動作について、図２および３を参照して説明する。図２は、撮像情報表示システム１の撮像装置１０で実行される撮影処理の流れを示すフローチャートであり、図３は、撮像情報表示システム１の表示装置２０および撮像装置１０内の表示部１５で実行される表示処理の流れを示すフローチャートである。
【００２５】
まず、撮像装置１０で実行される撮影処理について、図２を用いて説明する。撮像装置１０で撮影が開始されると、レンズ部１１から入射された被写体の光学像が画像情報生成部１３１で電気信号に変換される。変換された電気信号は画像処理部１３に送出され、画像情報生成部１３１において当該被写体の撮像情報である画像情報が生成される（Ｓ１）。
【００２６】
次に、ゲインアップ量算出部１３２において、画像情報生成部１３１で生成された画像情報を所定以上の明るさで表示させるために必要なゲインアップ量が算出される（Ｓ２）。当該画像情報を所定以上の明るさで表示させるために必要なゲインアップ量は、例えば、当該画像情報内の全画素の輝度データの平均値に基づいて算出される。ここで、当該画像情報が既に所定以上の明るさを有している場合には、必要なゲインアップ量は「0」（なし）として算出される。
【００２７】
次に、オート制御部１３３において、画像情報生成部１３１で生成された画像情報を、ゲインアップ量算出部１３２で算出されたゲインアップ量でゲインアップした仮画像情報が生成される。そして、当該仮画像情報を用いて、レンズ部１１に対するオートフォーカス制御、および画像情報生成部１３１で生成された画像情報に対するホワイトバランス調整等、画質を向上させるためのオート制御が行われる（Ｓ３）。これらのオート制御は、輝度レベルが低い画像情報で行うと誤動作を起こしやすいため、上述したようにゲインアップした仮画像情報を用いて実行される。
【００２８】
次に、出力処理部１３４により、画像情報生成部１３１で生成された画像情報に、ゲインアップ量算出部１３２で算出されたゲインアップ量がメタデータとして付加され、記憶部１４、表示部１５、および表示装置２０に出力される。記憶部１４では、出力処理部１３４から出力された画像情報が記憶される（Ｓ４）。以上で、撮像装置１０で実行される撮影処理の説明を終了する。
【００２９】
次に、表示装置２０で実行される表示処理について、図３のフローチャートを参照して説明する。撮像装置１０の出力処理部１３４から出力された画像情報は第１情報分離部２１で取得され（Ｓ１１）、当該画像情報に付加されているメタデータが分離される（Ｓ１２）。
【００３０】
次に、第１補正処理部２２において、第１情報分離部２１で取得された画像情報の画質を向上させるための画像処理が実行される。具体的には、まず第１ガンマ補正部２２ａにおいて、第１情報分離部２１で分離されたメタデータを用いて、取得した画像情報のガンマ補正が行われる。次に、第１輪郭補正部２２ｂにおいて、ガンマ補正された画像情報の輪郭補正が行われる。次に、第１色補正部２２ｃにおいて、輪郭補正された画像情報の色相補正が行われる（Ｓ１３）。
【００３１】
これらの補正処理が行われた画像情報は、第１液晶モニタ２３に表示される。その際、第１バックライト制御部２４により、第１情報分離部２１で分離されたメタデータに含まれるゲインアップ量の情報に基づいて、当該画像情報が、所定以上の明るさで第１液晶モニタ２３に表示されるように、第１液晶モニタ２３のバックライトの明るさが制御される（Ｓ１４）。
【００３２】
また、撮像装置１０の表示部１５においても同様の表示処理が実行される。撮像装置１０の出力処理部１３４から出力された画像情報は第２情報分離部１５１で取得され（Ｓ１１）、当該画像情報に付加されているメタデータが分離される（Ｓ１２）。次に、当該画像情報に対し、第２情報分離部１５１で分離されたメタデータを用いて、第２補正処理部１５２の第２ガンマ補正部１５２ａでガンマ補正が行われ、第２輪郭補正部１５２ｂで輪郭補正が行われ、第２色補正部１５２ｃで色相補正が行われる（Ｓ１３）。そして、当該メタデータに含まれるゲインアップ量の情報に基づいて、第２バックライト制御部１５４により第２液晶モニタ１５３のバックライトの明るさが制御され、補正された画像情報が、第２液晶モニタ１５３に表示される（Ｓ１４）。
【００３３】
また、ユーザが、記憶部１４に記憶された画像情報を表示装置２０または撮像装置１０の表示部１５に表示させるための操作を行うと、該当する画像情報が記憶部１４から出力されてステップＳ１１〜Ｓ１４の処理が実行され、表示対象の表示装置２０または撮像装置１０の表示部１５で表示される。
【００３４】
以上の実施形態によれば、撮像装置により低照度の環境で撮影を行った場合にも、ノイズの発生を抑えてフレームごとに所定以上の明るさに調整された高画質の撮像情報を液晶モニタに表示させることができる。
【００３５】
また、低照度の環境で撮影した撮像情報に対して、液晶モニタのバックライトの明るさの制御のみでは画質の調整が不足する場合があるため、ガンマ補正、輪郭補正、および色補正を行うことで、高画質の画像情報をユーザに提供することができる。
【００３６】
また、撮像装置内に設置された第２液晶モニタにおいても同様に高画質の撮像情報を表示させることができるため、ユーザは明るい画角で撮像情報を確認しながら撮影を行うことができる。
【符号の説明】
【００３７】
１  撮像情報表示システム
１０  撮像装置
１１  レンズ部
１２  撮像素子
１３  画像処理部
１４  記憶部
１５  表示部
２０  表示装置
２１  第１情報分離部（第１画像情報取得部）
２２  第１補正処理部
２２ａ  第１ガンマ補正部
２２ｂ  第１輪郭補正部
２２ｃ  第１色補正部
２３  第１液晶モニタ
２４  第１バックライト制御部
１３１  画像情報生成部
１３２  ゲインアップ量算出部
１３３  オート制御部
１３４  出力処理部
１５１  第２情報分離部（第２画像情報取得部）
１５２  第２補正処理部
１５２ａ  第２ガンマ補正部
１５２ｂ  第２輪郭補正部
１５２ｃ  第２色補正部
１５３  第２液晶モニタ
１５４  第２バックライト制御部
【図１】
2018142846.tif 000003
【図２】
2018142846.tif 000004
【図３】
2018142846.tif 000005